(57)【特許請求の範囲】
【請求項１】
棒形状を成す柄部中央部と、
前記柄部中央部の根元付近において左右横方向に開閉可能に設置される柄部右側部及び柄部左側部であって、それぞれが前記柄部中央部を挟んで閉じたとき、前記柄部中央部の周囲を囲むように内側に窪んだコの字型形状を成す柄部右側部及び柄部左側部と、を有し、
筒状に丸まった薄く平らな軟質部材に前記柄部中央部が挿入された状態で前記柄部右側部及び柄部左側部を閉じ、前記柄部中央部の周囲に前記柄部右側部及び柄部左側部で囲まれて形成される隙間に前記軟質部材を挟持させ、前記柄部右側部及び柄部左側部からはみ出した前記軟質部材が刀剣を模した部位となることを特徴とする刀剣玩具。
【請求項２】
中央に孔を備える鍔部をさらに有し、
前記柄部右側部及び柄部左側部の上部を前記鍔部の前記孔に嵌挿させることによって、前記柄部右側部及び柄部左側部の開閉動作を規制することを特徴とする請求項１に記載の刀剣玩具。
【請求項３】
前記柄部右側部及び柄部左側部が、それぞれ約１８０°開くことを特徴とする請求項１又は２に記載の刀剣玩具。
【請求項４】
前記軟質部材が、紙であることを特徴とする請求項１乃至３の何れか一に記載の刀剣玩具。
【請求項５】
衣服に引っ掛けて係止させる係止部を備え、前記刀剣を模した部位を収納する鞘部を有することを特徴とする請求項１乃至４の何れか一に記載の刀剣玩具。
【発明の詳細な説明】
【技術分野】
【０００１】
刀剣を模した玩具の技術に関する。
【背景技術】
【０００２】
昔から、特に子供の間では、刀で斬り合う真似事をして遊ぶチャンバラ遊びというものがある。
そういう背景もあって、刀剣部及び柄部を備える刀剣を模した刀剣玩具が多数開発されている。
例えば、特許文献１乃至３では、刀剣部及び柄部を備える刀剣を模した刀剣玩具が提案されている。
【先行技術文献】
【特許文献】
【０００３】
【特許文献１】特開平７−７７９４１号公報
【特許文献２】実開平２−１０６２９８号公報
【特許文献３】特開昭５０−１４２０００号公報
【発明の概要】
【発明が解決しようとする課題】
【０００４】
しかしながら、上記の従来技術においては、刀剣部が硬質であり、特に子供に使用させ遊ばせる際に危険が伴うという問題点を有する。
【０００５】
また、上記の従来技術においては、刀剣玩具の形状が固定的であり、又は、刃剣部の取り付け・取り外しが容易ではなく、使用後の収納時に嵩張ったり、刀剣部が破損した場合には刀剣玩具そのものを買い直す必要もあったりするという問題点を有する。
【０００６】
そこで本発明では、上記問題点に鑑み、子供に使用させても自分や他人を傷付ける危険性が低く、収納時に嵩張らず、破損するおそれが小さい刀剣玩具を提供することを目的とする。
【課題を解決するための手段】
【０００７】
開示する刀剣玩具の一形態は、棒形状を成す柄部中央部と、前記柄部中央部の根元付近において左右横方向に開閉可能に設置される柄部右側部及び柄部左側部であって、それぞれが前記柄部中央部を挟んで閉じたとき、前記柄部中央部の周囲を囲むように内側に窪んだコの字型形状を成す柄部右側部及び柄部左側部と、を有し、筒状に丸まった薄く平らな軟質部材に前記柄部中央部が挿入された状態で前記柄部右側部及び柄部左側部を閉じ、前記柄部中央部の周囲に前記柄部右側部及び柄部左側部で囲まれて形成される隙間に前記軟質部材を挟持させ、前記柄部右側部及び柄部左側部からはみ出した前記軟質部材が刀剣を模した部位となることを特徴とする。
【発明の効果】
【０００８】
開示する刀剣玩具は、刀剣部が軟質であるため、子供に使用させても自分や他人を傷付ける危険性が低く、刃剣部の取り付け・取り外しが容易であるため、収納時に嵩張らず、破損するおそれが小さい。
【図面の簡単な説明】
【０００９】
【図１】本実施の形態に係る刀剣玩具（本体部分）の正面図である。
【図２】本実施の形態に係る刀剣玩具（本体部分）の平面図である。
【図３】本実施の形態に係る刀剣玩具（本体部分）の正面図（柄部両側部を開いた状態）である。
【図４】本実施の形態に係る鍔部の斜視図である。
【図５】本実施の形態に係る刀剣玩具の正面図（本体部分上部に鍔部を嵌め込んだ状態）である。
【図６】本実施の形態に係る鞘部の正面図である。
【図７】本実施の形態に係る刀剣玩具の使用状態を示す図である。
【発明を実施するための形態】
【００１０】
図面を参照しながら、本発明を実施するための形態について説明する。
（本実施の形態に係る刀剣玩具の構造）
【００１１】
図１乃至７を用いて、本実施の形態に係る刀剣玩具１の構造について説明する。図１乃至３は、刀剣玩具１の本体部分を示した図である。図４は、刀剣玩具１を構成する鍔部１０を示した図であり、図５は、鍔部１０の機能を説明する図である。図６は、刀剣玩具１を構成する鞘部１４を示した図である。図７は、刀剣玩具１の使用状態を示す図である。
【００１２】
図１乃至６で示すように、刀剣玩具１は、柄部中央部２、柄部右側部６、柄部左側部８、鍔部１０、鞘部１４を有する。刀剣玩具１は、丸めた紙（例えば、新聞紙や折込チラシ等）で刀剣部を模し、当該刀剣部を模した部位２２の形状を保持させることによって、子供等が安全かつ手軽にチャンバラ遊びを出来るように案出された、刀剣を模したおもちゃである。なお、刀剣部を模した部位２２は、紙である必要は無く、薄く平らな軟質部材２０で形成されていれば良く、軟質部材２０は、紙の他に、フィルム状のプラスチック、シリコーン等であっても良い。刀剣部を模した部位２２が軟らかければ、使用者である子供等が怪我をするリスクが軽減される。
【００１３】
柄部中央部２は、棒形状を成し、筒状に丸めた軟質部材２０の中央を当該棒状部位に挿入させ、軟質部材２０の位置を定める役割を果たす。図１、３で示すように、柄部中央部２の根元付近４は、柄部右側部６及び柄部左側部８を設置する（連結させる）ために、横方向に幅広になっていることが好適である。
【００１４】
柄部右側部６は、柄部中央部２の根元付近４右側において当該根元付近４右側を支点に右横方向に回転可能に設置される。図３で示すように、柄部右側部６は、約１８０°の可動域を有している。
【００１５】
柄部左側部８は、柄部中央部２の根元付近４左側において当該根元付近４左側を支点に左横方向に回転可能に設置される。図３で示すように、柄部左側部８は、約１８０°の可動域を有している。
柄部右側部６及び柄部左側部８は、柄部中央部２について、略左右対称の形状を成し、略左右対称の位置に設置される。
【００１６】
図２で示すように、柄部右側部６及び柄部左側部８の形状は、柄部中央部２を挟んで閉じるとき、柄部中央部２の周囲を囲むように内側に窪んだコの字型を成している。そして、柄部右側部６及び柄部左側部８が柄部中央部２を挟んで閉じるとき、柄部中央部２の周囲には柄部右側部６及び柄部左側部８で囲まれた隙間１８が形成される。隙間１８には、筒状に丸めた軟質部材２０が収納される。
鍔部１０は、刀剣の鍔を模した部位であり、中央に孔１２を備える。
【００１７】
図５で示すように、柄部右側部６及び柄部左側部８が柄部中央部２を挟んで閉じるとき、柄部右側部６及び柄部左側部８の上部を、鍔部１０が備える孔１２に嵌め挿し込むことによって、柄部右側部６及び柄部左側部８が左右への回転動作を出来ないようにする。こうすることによって、筒状に丸めた軟質部材２０を隙間１８に収納させた状態を維持させる。
【００１８】
図６で示すように、鞘部６は、チャンバラ遊びをするとき等に刀剣を模した部位２２を収納するための部位であり、使用者の衣服（ベルトループ等）に引っ掛けてその状態を維持させるための係止部１６を備える。
【００１９】
なお図７で示すように、刀剣部を模した部位２２は、柄部中央部２に挿入し隙間１８に収納され、その状態が維持される軟質部材２０の、柄部右側部６及び柄部左側部８から上方にはみ出した部分である。
刀剣部を模した部位２２が折れたり破れたりした場合、軟質部材２０を取り換えれば済むため、刀剣玩具１そのものが破損する可能性は小さい。
【００２０】
上記のような構成を備えることによって、刀剣玩具１は、刀剣部２２が軟質であるため、子供に使用させても自分や他人を傷付ける危険性が低く、刃剣部２２の取り付け・取り外しが容易であるため、収納時に嵩張らず、破損するおそれが小さい。
（本実施の形態に係る刀剣玩具の使用方法）
図１乃至７を用いて、刀剣玩具１の使用方法について説明する。
刀剣玩具１の使用者は、新聞紙などやや大き目の紙を筒状に丸めた後、当該筒の中央を柄部中央部２の棒状部位に挿入する。
【００２１】
なお図３で示すように、使用者は、柄部右側部６及び柄部左側部８を約１８０°開いた状態で、柄部中央部２に新聞紙などを直接巻き付けて、結果として筒の中央が柄部中央部２の棒状部位に挿入された状態を形成しても良い。柄部右側部６及び柄部左側部８の可動域が大きく、柄部中央部２に軟質部材２０を巻き付け易いので、こういった使用方法も可能である。
ここで使用者は、刀剣を模した部位２２の硬さや大きさを考慮して、軟質部材２０を何にするかを選択する。
【００２２】
次に使用者は、柄部中央部２を挟み込むように柄部右側部６及び柄部左側部８を閉じ、柄部右側部６及び柄部左側部８によって柄部中央部２の周囲に形成される隙間１８に筒状に丸まった軟質部材２０を収納させる。
【００２３】
さらに使用者は、柄部右側部６及び柄部左側部８からはみ出た軟質部材２０を、先端側から鍔部１０が備える孔１２に通し、鍔部１０を柄部右側部６及び柄部左側部８の上部まで移動させる。そして、使用者は、柄部右側部６及び柄部左側部８の上部を孔１２に嵌め挿し込むことによって、柄部右側部６及び柄部左側部８が左右への回転動作を出来ないようにする。
【００２４】
これで刀剣玩具１は使用できる状態となったので、使用者は、柄部右側部６及び柄部左側部８を手で握り、刀剣を模した部位２２を使用して、チャンバラ遊びを行うことができる。なお、軟質部材２０（ここでは新聞紙）が折れ曲がったり、破れたりした場合、使用者は、柄部右側部６及び柄部左側部８から鍔部１０を外すと共に、柄部右側部６及び柄部左側部８を左右に開き、軟質部材２０を交換すれば良い。また、チャンバラ遊びを終えるとき、使用者は、柄部右側部６及び柄部左側部８から鍔部１０を外すと共に、柄部右側部６及び柄部左側部８を左右に開き、軟質部材２０を取り外せば、刀剣玩具１はコンパクトであるため、収納時に嵩張らないようにすることができる。
なお使用者は、鞘部１４を、ベルトループ等に係止部１６を使って引っ掛けて、刀剣を模した部位２２を収納する鞘として使用することができる。
【００２５】
上記のような構成を備えることによって、刀剣玩具１は、刀剣部２２が軟質であるため、子供に使用させても自分や他人を傷付ける危険性が低く、刃剣部２２の取り付け・取り外しが容易であるため、収納時に嵩張らず、破損するおそれが小さい。
【００２６】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２７】
１    刀剣玩具
２    柄部中央部
４    柄部中央部の根元付近
６    柄部右側部
８    柄部左側部
１０  鍔部
１２  鍔部が備える孔
１４  鞘部
１６  係止部
１８  柄部中央部の周囲に柄部右側部及び柄部左側部で囲まれて形成される隙間
２０  軟質部材
２２  刀剣を模した部位（刀剣部）
【要約】
【課題】
開示の刀剣玩具は、子供に使用させても自分や他人を傷付ける危険性が低く、収納時に嵩張らず、破損するおそれが小さい。
【解決手段】
開示の刀剣玩具は、棒形状を成す柄部中央部と、前記柄部中央部の根元付近において左右横方向に開閉可能に設置される柄部右側部及び柄部左側部であって、それぞれが前記柄部中央部を挟んで閉じたとき、前記柄部中央部の周囲を囲むように内側に窪んだコの字型形状を成す柄部右側部及び柄部左側部と、を有し、筒状に丸まった薄く平らな軟質部材に前記柄部中央部が挿入された状態で前記柄部右側部及び柄部左側部を閉じ、前記柄部中央部の周囲に前記柄部右側部及び柄部左側部で囲まれて形成される隙間に前記軟質部材を挟持させ、前記柄部右側部及び柄部左側部からはみ出した前記軟質部材が刀剣を模した部位となることを特徴とする。
【選択図】図７【図１】
0006023911.tif 000002
【図２】
0006023911.tif 000003
【図３】
0006023911.tif 000004
【図４】
0006023911.tif 000005
【図５】
0006023911.tif 000006
【図６】
0006023911.tif 000007
【図７】
0006023911.tif 000008